(57)【特許請求の範囲】
【請求項１】
撮影レンズによって結像された被写界像を被写界像信号に変換する撮像素子を有する撮像手段と、
該撮像手段から得られる被写界像信号を被写界画像としてモニタ表示する表示手段と、
前記撮像素子により連続して変換された２つの被写界像信号を比較し、該被写界像信号のうちで動きのあった部分の面積の大きさに基づいて、前記被写界像が動的被写界像であるか否かを判定する被写界像動き判定手段と、
該被写界像動き判定手段の判定結果に応じて、前記表示手段に表示する被写界画像のフレームレートを変更する制御手段とを有することを特徴とする撮像装置。
【請求項２】
前記制御手段は、前記被写界像が動的被写界像であることを前記被写界像動き判定手段が判定することに応答して、前記フレームレートを高めることを特徴とする請求項１に記載の撮像装置。
【請求項３】
前記制御手段は、前記フレームレートの変更と共に前記表示手段に表示する被写界画像の解像度を変更することを特徴とする請求項１又は２に記載の撮像装置。
【請求項４】
前記制御手段は、前記被写界画像を前記表示手段に表示するための解像度とフレームレートの組み合わせを複数有し、前記被写界像動き判定手段の判定結果に応じて、前記複数の解像度とフレームレートの組み合わせの内の一つを決定することを特徴とする請求項３に記載の撮像装置。
【請求項５】
撮影レンズによって結像された被写界像を被写界像信号に変換する撮像素子を有する撮像手段と、該撮像手段から得られる被写界像信号を被写界画像としてモニタ表示する表示手段とを具備する撮像装置の制御方法であって、
前記撮像素子により連続して変換された２つの被写界像信号を比較し、該被写界像信号のうちで動きのあった部分の面積の大きさに基づいて、前記被写界像が動的被写界像であるか否かを判定し、該判定結果に応じて、前記表示手段に表示する被写界画像のフレームレートを変更することを特徴とする撮像装置の制御方法。
【請求項６】
前記被写界像が動的被写界像であることを判定することに応答して、前記フレームレートを高めることを特徴とする請求項５に記載の撮像装置の制御方法。
【請求項７】
前記フレームレートの変更と共に前記表示手段に表示する被写界画像の解像度を変更することを特徴とする請求項５又は６に記載の撮像装置の制御方法。
【請求項８】
前記被写界画像を前記表示手段に表示するための解像度とフレームレートの組み合わせを複数用意し、前記被写界像が動的被写界像であるか否かの判定結果に応じて、前記複数の解像度とフレームレートの組み合わせの内の一つを決定することを特徴とする請求項５に記載の撮像装置の制御方法。
【請求項９】
請求項５乃至８のいずれか１項に記載の制御方法をコンピュータに実行させるための制御プログラム。
【請求項１０】
請求項９に記載の制御プログラムを記録したことを特徴とする記録媒体。
【発明の詳細な説明】
【０００１】
【発明の属する技術分野】
本発明は、被写界像をＣＣＤ等の撮像素子に結像させ、この撮像素子にて被写界像を電気的画像信号に変換し、撮影者が被写界を観察することのできるファインダ像として液晶等のディスプレイに表示するいわゆるＥＶＦ機能を有する撮像装置及びその制御方法及び制御プログラム及び記録媒体に関するものである。
【０００２】
【従来の技術】
従来より撮影被写界像を電気的に記録媒体に記録する電子スチルカメラ、ビデオカメラが提案され、商品化されている。
【０００３】
これらのカメラにおいて、撮影被写界像は撮影レンズによってＣＣＤ等の撮像素子上に結像され、被写界像は該撮像素子によって画像信号に変換され、ビデオテープ、フラッシュメモリ等の記録媒体に記録される。また画像信号に変換された被写界像を液晶等の画面に表示しファインダ表示とする、いわゆる電子ビューファインダを有するカメラも存在する。これらのカメラにおいては、電子ビューファインダの動作における表示解像度は常に固定となっている。
【０００４】
【発明が解決しようとする課題】
しかしながら、上記のような従来のカメラにおいては、表示解像度が固定のため、以下に示すような問題点があった。
【０００５】
高解像度のファインダ動作を実現しようとすると、データ取り込み処理および画像デジタル処理等を高速で行わなければならずパフォーマンスの高いハードウェアが必要である。従って、パフォーマンスのそれほど高くないハードウェアで動作した場合には、処理が間に合わず結果的にフレームレートの低いぎこちない映像となってしまう。この場合は、たとえばスポーツシーンなどの動きの激しい被写界を撮影するときにも、被写界の動きにファインダが追従できなくて構図を決めるのが困難となるという問題点があった。
【０００６】
また、ファインダ解像度を低くして絶対的な処理量を減らした場合には、色の再現性や画素密度が悪くなり映像品位が低くなるため、きれいな風景の撮影などの場合に、ファインダ上で見える画像と撮像画像がかけ離れてしまうという問題点があった。
【０００７】
この問題に対して、特開平１１−３１３２３０号公報において、電子ビューファインダに表示する画像の解像度を変更するための選択手段を備えるとともに、撮影した画像を選択された解像度で電子ビューファインダ上にモニター表示するという提案がなされている。
【０００８】
しかしながら上記の従来例では、撮影シーンに応じて解像度変更を撮影者自身が判断してカメラに入力する必要があり、撮影者にとって煩わしさが残るものであった。
【０００９】
従って、本発明は上述した課題に鑑みてなされたものであり、その目的は、被写体の動きの程度に対応して適切なファインダ表示を行うことができる撮像装置及びその制御方法及び制御プログラム及び記録媒体を提供することである。
【００１０】
【課題を解決するための手段】
上述した課題を解決し、目的を達成するために、本発明に係わる撮像装置は、撮影レンズによって結像された被写界像を被写界像信号に変換する撮像素子を有する撮像手段と、該撮像手段から得られる被写界像信号を被写界画像としてモニタ表示する表示手段と、前記撮像素子により連続して変換された２つの被写界像信号を比較し、該被写界像信号のうちで動きのあった部分の面積の大きさに基づいて、前記被写界像が動的被写界像であるか否かを判定する被写界像動き判定手段と、該被写界像動き判定手段の判定結果に応じて、前記表示手段に表示する被写界画像のフレームレートを変更する制御手段とを有することを特徴としている。
【００１１】
また、この発明に係わる撮像装置において、前記制御手段は、前記被写界像が動的被写界像であることを前記被写界像動き判定手段が判定することに応答して、前記フレームレートを高めることを特徴としている。
【００１２】
また、この発明に係わる撮像装置において、前記制御手段は、前記フレームレートの変更と共に前記表示手段に表示する被写界画像の解像度を変更することを特徴としている。
【００１３】
また、この発明に係わる撮像装置において、前記制御手段は、前記被写界画像を前記表示手段に表示するための解像度とフレームレートの組み合わせを複数有し、前記被写界像動き判定手段の判定結果に応じて、前記複数の解像度とフレームレートの組み合わせの内の一つを決定することを特徴としている。
【００１５】
また、本発明に係わる撮像装置の制御方法は、撮影レンズによって結像された被写界像を被写界像信号に変換する撮像素子を有する撮像手段と、該撮像手段から得られる被写界像信号を被写界画像としてモニタ表示する表示手段とを具備する撮像装置の制御方法であって、前記撮像素子により連続して変換された２つの被写界像信号を比較し、該被写界像信号のうちで動きのあった部分の面積の大きさに基づいて、前記被写界像が動的被写界像であるか否かを判定し、該判定結果に応じて、前記表示手段に表示する被写界画像のフレームレートを変更することを特徴としている。
【００１６】
また、この発明に係わる撮像装置の制御方法において、前記被写界像が動的被写界像であることを判定することに応答して、前記フレームレートを高めることを特徴としている。
【００１７】
また、この発明に係わる撮像装置の制御方法において、前記フレームレートの変更と共に前記表示手段に表示する被写界画像の解像度を変更することを特徴としている。
【００１８】
また、この発明に係わる撮像装置の制御方法において、前記被写界画像を前記表示手段に表示するための解像度とフレームレートの組み合わせを複数用意し、前記被写界像が動的被写界像であるか否かの判定結果に応じて、前記複数の解像度とフレームレートの組み合わせの内の一つを決定することを特徴としている。
【００２０】
また、本発明に係わる制御プログラムは、上記の制御方法をコンピュータに実行させることを特徴としている。
【００２１】
また、本発明に係わる記録媒体は、上記の制御プログラムを記録したことを特徴としている。
【００２２】
【発明の実施の形態】
以下、本発明の好適な一実施形態について、添付図面を参照して詳細に説明する。
【００２３】
図１は、本発明の一実施形態に係わるデジタルカメラの概略構成を示すブロック図である。
【００２４】
図１において、１０１はＣＰＵ（中央演算処理装置）であり、本デジタルカメラの動作はこのＣＰＵ１０１により制御される。ＣＰＵ１０１には、制御プログラムを記憶しているＲＯＭ（リードオンリーメモリ）１０２、ＲＡＭ（ランダムアクセスメモリ）１０３、データ格納部１０４、画像処理部１０８、ＬＣＤコントロール部１１１、シャッターＳＷ１１４、電源を供給するためのＤＣ／ＤＣコンバータ１１７がそれぞれ接続され、画像処理部１０８にはＣＣＤコントロール部１０７、さらにＣＣＤ１０６が接続されている。ＣＣＤ１０６は有効画素数約４９２万画素（２５６０×１９２０）を有している。被写界像は、レンズ群１０５によりＣＣＤ１０６上に結像される。
【００２５】
そして、ＬＣＤコントロール部１１１には表示駆動部１１２、さらに表示部（ＴＦＴカラー液晶）１１３が接続されており、また、ＤＣ／ＤＣコンバータ１１７には電池１１６から電源が供給されている。
【００２６】
ＣＰＵ１０１はＲＯＭ１０２内の制御プログラムに基づいて各種制御を行う。これらの制御の中には、画像処理部１０８から出力された撮影画像信号を読み込み、ＲＡＭ１０３へＤＭＡ転送を行う処理、同様にＲＡＭ１０３よりＬＣＤコントロール部１１１へデータをＤＭＡ転送する処理、また、画像データをＪＰＥＧ圧縮しファイル形式でデータ格納部１０４へ格納する処理が含まれる。
【００２７】
さらにＣＰＵ１０１は撮影画像信号を基に、撮影被写界像の位置が大きく変化しているか否かを判定する被写界像動き判定アルゴリズムに従って、ファインダ解像度の変更指示を行い、ＣＣＤ１０６、ＣＣＤコントロール部１０７、画像処理部１０８、ＬＣＤコントロール部１１１などに対してデータ取り込み画素数やデジタル画像処理の変更指示を行う。
【００２８】
また、シャッターＳＷ１１４の操作に伴う撮影動作の指示、さらに、各部への電源の供給をコントロールするための制御信号を、ＤＣ／ＤＣコンバータ１１７に対して出力する処理等も、ＣＰＵ１０１の制御の基に行われている。
【００２９】
ＲＡＭ１０３は画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納部１０４から読み出されたＪＰＥＧ圧縮画像データを一時的に格納するためのテンポラリバッファとして、また、画像圧縮処理、解凍処理のための画像専用ワークエリアとして使用される。
【００３０】
ワークエリア１０３ｂは各種プログラムのためのワークエリアである。ＶＲＡＭ１０３ｃは表示部１１３へ表示する表示データを格納するＶＲＡＭとして使用される。また、一時退避エリア１０３ｄは各種データを一時退避させるためのエリアである。
【００３１】
データ格納部１０４は、ＣＰＵ１０１によりＪＰＥＧ圧縮された撮影画像データ、あるいはアプリケーションより参照される各種付属データ等をファイル形式で格納しておくためのフラッシュメモリである。
【００３２】
レンズ群１０５は被写界像を光学的にＣＣＤ１０５へ投影するために複数枚のレンズで構成されており、ＣＣＤ（光電変換素子）１０６はレンズ群１０５によって投影された撮影画像をアナログ電気信号に変換するための素子である。
【００３３】
このＣＣＤ１０６は、ＣＰＵ１０１よりの解像度変換指示に従って、水平方向および垂直方向の間引き画素データの出力が可能である。ＣＣＤコントロール部１０７は、ＣＣＤ１０６に転送クロック信号やシャッター信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路、また同様に、ＣＰＵ１０１よりの解像度変換指示に従って、画素間引き処理を行うための回路等を含んでいる。
【００３４】
また、画像処理部１０８は、ＣＣＤコントロール部１０７より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これらの処理系もまた、ＣＰＵ１０１よりの解像度変換指示に従って、任意の解像度に対応した処理を行うことができる。これら、レンズ群１０５、ＣＣＤ１０６、ＣＣＤコントロール部１０７、画像処理部１０８を合わせて以下カメラモジュールと呼ぶことにする。
【００３５】
ＬＣＤコントロール部１１１は、画像処理部１０８から転送されたＹＵＶデジタル画像データ、あるいはデータ格納部１０４の中の画像ファイルに対してＪＰＥＧの解凍を行ったＹＵＶデジタル画像データを受け取り、ＲＧＢデジタル信号へ変換したあと表示駆動部１１２へ出力する処理を行う。表示駆動部１１２は表示部１１３を駆動するための制御を行い、やはりＣＰＵ１０１よりの解像度変換指示に従って、任意の解像度に対応している。表示部１１３は画像を表示するためのＶＧＡ規格（６４０×４８０ドット）ＴＦＴ液晶表示装置であり、撮影者が不図示のアイピースレンズを通して、表示部１１３に表示された被写界像を見ることによりカメラの構図を決めることのできる電子ビューファインダ（以降ＥＶＦと称する）となっている。
【００３６】
これらＬＣＤコントロール部１１１、表示駆動部１１２、表示部１１３から表示手段が構成されている。
【００３７】
なお、ＣＣＤ１０６の有効画素２５６０×１９２０の画像情報を３２０×２４０画素に間引いて取込む１／６４（横１／８×縦１／８）間引きモードと、６４０×４８０画素に間引いて取込む１／１６（横１／４×縦１／４）間引きモードがあり、１／６４間引きモードで取込まれた画像は、１秒間に６０フレーム更新（いわゆるフレームレート）で、１／１６間引きモードでは同３０フレームでＥＶＦに画像表示がなされる。
【００３８】
シャッターＳＷ１１４は、撮影動作の開始を指示するためのシャッターである。このシャッターＳＷ１１４はスイッチの押下圧によって２段階のスイッチポジションが有り、１段目のポジション（ＳＷ１ＯＮ）の検出で、ホワイトバランス、ＡＥ等のカメラ設定のロック動作が行われ、２段目のポジション（ＳＷ２ＯＮ）の検出で、被写界画像信号の取り込み動作が行われる。
【００３９】
電池１１６はリチャージャブルの２次電池あるいは乾電池である。また、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。このＤＣ／ＤＣコンバータ１１７はＣＰＵ１０１からの制御信号１１８により、各々の電圧の供給の開始、停止を制御できる。
【００４０】
図２は、カメラ撮影動作モードにおけるＥＶＦ（電子ビューファインダ）機能の流れを示すフローチャートであり、ＲＯＭ１０２に格納されているプログラムによりＣＰＵ１０１の指示で行われる処理である。
【００４１】
ステップＳ２００において、電源が投入されると、まずステップＳ２０１において、ＥＶＦのＣＣＤ１０６からの画像取り込み回数を示すカウンタが初期値ｎ＝１にセットされ、前記１／６４間引きモードを実行するようにビットが立てられる。ステップＳ２０２では、ＣＣＤ１０６、ＣＣＤコントロール部１０７を含むＣＣＤモジュールを動作可能な状態（ｅｎａｂｌｅ）にする。
【００４２】
ステップＳ２０３において、１／６４間引きモードのフラグが立っているか否かの判定を行い、フラグが立っている場合にはステップＳ２０４にて３２０×２４０画素サイズのデータを出力する１／６４間引きモード制御をステップＳ２０６以降行う。
【００４３】
一方ステップＳ２０３において、１／６４間引きモードのフラグが立っておらず、１／１６間引きモードのフラグが立っている場合にはステップＳ２０５へ分岐し、ステップＳ２０６以降は１／１６間引きモードにて６４０×４８０画素サイズで画像表示を行うための処理を実行する。
【００４４】
ステップＳ２０６では上記決定された１／６４または１／１６間引きモードにて、カメラレンズ群１０５から取り込んだ被写界の光情報をＣＣＤ１０６によって電気信号に変換する処理を行う。
【００４５】
ステップＳ２０６で取り込まれた信号は、次にステップＳ２０７において、ＣＣＤコントロール部１０７によるノイズ除去処理、ゲイン処理を経て、１０ビットデジタル信号へＡ／Ｄ変換された後、画像処理部１０８へ送られる。またＡ／Ｄ変換された画像は後述するように次回の画像と比較するためにＲＡＭ１０３にもフレームメモリとして書き込みがなされる。
【００４６】
ステップＳ２０８では、現在取込んだ画像が電源ＯＮされて何回目の画像なのかを判定し、１回目の時は直接ステップＳ２１３へ分岐して画像表示処理を行う。
【００４７】
一方、２回目以降の場合は、ステップＳ２０９に進む。
【００４８】
ステップＳ２０９とステップＳ２１０は被写界像が動的被写界像であるか否かを判定する被写界像動き判定手段を構成しており、その詳細は後述する。
【００４９】
ステップＳ２０９では、ＲＡＭに記憶されている前回の画像信号と今回取込まれた画像信号との比較から被写界の動きの大きさが数値化され、ステップＳ２１０ではステップＳ２０９の結果に基づいて被写界像が動きの激しい動的な被写界か、動きの少ない静的な被写界かが判定され、動的な被写界と判定された場合にはステップＳ２１１にて１／６４間引きモードで次回の画像取り込みを行うようにフラグを立てた後、画像信号処理であるステップＳ２１３以下に進む。
【００５０】
一方、静的な被写界と判定された場合には１／１６間引きモードで次回の画像取り込みを行うようにフラグを立てて、ステップＳ２１３の信号処理に進む。
【００５１】
ステップＳ２１３では、画像処理部１０８において、現在取込まれた画像のオートホワイトバランス、ＡＥ、またストロボ撮影時の補正などの処理、あるいはＹＵＶ（４：２：２）フォーマットへの信号変換などの処理を行う。このＹＵＶ変換された信号はＣＰＵ１０１により、表示画像データを格納するＶＲＡＭ１０３ｃへ書き込まれ、ＤＭＡを使用して定常的にＬＣＤコントロール部１１１に出力される。
【００５２】
ステップＳ２１４ではＬＣＤコントロール部１１１が受取ったＹＵＶ信号をＲＧＢデジタル信号に変換処理を行った後、ステップＳ２１５において表示駆動部１１２へＲＧＢ信号を出力する。この表示駆動部１１２からの出力信号を受けて、ステップＳ２１６において、表示部１１３による被写界画像の表示が行われる。
【００５３】
以上図２のフローチャートで説明したように、撮影被写界像が動的な場合には１／６４間引きモードによる３２０×２４０画素、リフレッシュレート６０フレーム、静的な場合には１／１６間引きモードによる６４０×４８０画素、リフレッシュレート３０フレームの映像が、ステップＳ２０３からステップＳ２１６までの処理を連続的にループすることにより、表示部１１３上に常にモニターされ、ＥＶＦ（電子ビューファインダ）動作となる。
【００５４】
次に、上記ステップＳ２０９、ステップＳ２１０で行われる被写界像動き判定手段についての説明を図３と図４を用いて行う。
【００５５】
図３は被写界像動き判定手段を構成する論理ブロック図であり、第１フレームメモリ１２０ａは前回得られた被写界像信号をＡ／Ｄ変換して得られた像信号であり、第２フレームメモリ１２０ｂは最新の被写界像をＡ／Ｄ変換して得られた像信号で、メモリ１０３に記憶されているものである。
【００５６】
３００ａ、３００ｂ、はそれぞれ第１フレームメモリ、第２フレームメモリの像信号を８０×６０の粗いブロック像信号に変換する第１リサイズ部３０１ａ，第２リサイズ部３０１ｂによって処理され、この処理によって演算の負担を軽くすることができる。
【００５７】
なお、第１フレームメモリおよび第２フレームメモリに記憶されている像信号が、すでに説明した１／６４間引きモードによる３２０×２４０画素であっても、１／１６間引きモードによる６４０×４８０画素であっても、画素加算を行うことによって８０×６０画素からなるサイズに変換されることになる。
【００５８】
次に差分演算部３０２は、８０×６０像信号にリサイズされた第１フレームメモリ、第２フレームメモリの各々の像信号から、対応する画素毎に画素値の差分をとって得られる差分値画像を生成する。この差分値画像は、第１フレームメモリの画像に対して第２フレームメモリの画像が変化した、つまり動きが発生した部分のみが有意な画素値（ゼロに比べて十分大きな値）を持った画像として得られるものである。従って差分値画像に含まれる有意な画素値を持つ画素で構成される領域が、動体として検出されることになる。
【００５９】
次に２値化部３０３は、差分演算部３０２の出力を、有意な値と考えられる所定の閾値を用いて２値化することにより、２つの画像間に有意な差があった領域の画素のみ１（ＯＮ：黒）で、それ以外の画素は０（ＯＦＦ：白）の２値化された画素値を出力する。次に、ノイズ除去部３０４は、これまでの処理において諸々の要因で混入するノイズにより生ずる２値画像中の孤立画素や微小な黒画素領域の除去、及び微小な孔（黒画素連結領域中の微小な白画素領域の除去等を行う。
【００６０】
次に面積演算部３０５では、２値画像の黒画素部分の画素のみを、即ち黒画素を画素値１として出力し、白画素を画素値０として出力するものとして、このラスタ走査形式で出力する画素値の１のみをカウントすることにより、抽出した動体の面積をもって被写界の動き度合いとする。
【００６１】
図４は上記被写界像動き判定手段の説明を簡略化した図で表現したものであり、カメラの撮影者が撮影しようとする被写体の構図を決めようとしている状態にて、ＥＶＦ表示用に取込まれた被写界像信号を画像表示したものである。
【００６２】
図４（ａ）、図４（ｂ）は、各々第１フレームメモリ３００ａに記憶された前回の画像信号、第２フレームメモリ３００ｂに記憶された今回の画像信号が、上記各々のリサイズ部３０１ａ、３０２ｂによって画像信号８０×６０画素にリサイズされた画像を示したものである。両図において１２０は車、１２１はその背景であり、図４（ａ）で示した車１２０の位置は、次に取り込みがなされたフレームにおいて図４（ｂ）の位置まで移動していることが示されている。
【００６３】
さらに、図４（ａ）、図４（ｂ）各々の画像信号は差分演算部３０２、２値化部３０３、ノイズ除去部３０４によって画像処理がなされ、図４（ｃ）のように背景領域１２１ａは画像信号上変化がないため差分化処理によって白画素０の領域となり、図４（ａ）から図４（ｂ）中の車１２０の移動に伴う重複領域１２０ａも白画素０の領域となるが、車１２０が移動することによって重複が発生していない領域１２０ｂは信号成分が残るため黒画素値１の領域として検出されることとなる。この黒画素値１の領域を面積演算部３０５で計算することで被写界の動きが大きいかそうでないかの度合いを数値化することができる。この数値と所定の閾値と比較することで、前記図２のステップＳ２１０の被写界は動的か否かの判定を行うことが可能となる。
【００６４】
また、上記例のようにカメラのフレーミングが固定されたなかで主要被写体が移動している状況でなくても、カメラのフレーミングが大きく変化し、撮影被写界全体が大きく移動した場合でも被写界は動的と判断される。この場合にもやはり、撮影者にとっては被写界を高解像度で確認する必要性はほとんどなく（実際にも眼での解像不可能）、高リフレッシュレートで素早くＥＶＦ上に被写界を映し出すことが重要となることは言うまでもない。
【００６５】
【他の実施形態】
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれることは言うまでもない。
【００６６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【００６７】
本発明を上記記憶媒体に適用する場合、その記憶媒体には、先に説明した（図２に示す）フローチャートに対応するプログラムコードが格納されることになる。
【００６８】
本実施形態は、撮影レンズによって結像された被写界像を被写界像信号に変換する撮像素子を有する撮像手段と、該撮像手段から得られる被写界像信号を被写界画像としてモニター表示する表示手段と、前記被写界像の所定時間における変位量を算出し、前記被写界像が動的被写界像であるか否かを判定する被写界像動き判定手段を有し、該被写界像動き判定手段の結果に応じて、前記表示手段に表示される被写界画像の解像度とフレームレートを変更することを特徴とする電子カメラを提供するものである。本実施形態によれば、電子ビューファインダ方式の電子カメラにおいて、スポーツシーンなどの動きの激しい被写界を撮影するときには、カメラは自動的に低解像度、高フレームレートの電子ビューファインダモードに設定され、被写界の動きにファインダ上の画像は追従し、確実に構図を決めることができるので、シャッタチャンスを逃すことなく撮影を行うことが可能となる。また逆にポートレート、風景撮影のように動きの少ない撮影シーン時には、高解像度、低フレームレートの電子ビューファインダモードに設定され、正確な色再現、ピント確認、深度確認が電子ビューファインダ表示画面上でできるようになり、より撮影意図に忠実な撮影を行うことが可能となる。
【００６９】
【発明の効果】
以上説明したように、本発明によれば、被写体の動きの程度に対応して適切なファインダ表示を行うことが可能となる。
【図面の簡単な説明】
【図１】本発明の一実施形態に係わるデジタルカメラの概略ブロック図である。
【図２】ＥＶＦ機能のフローチャートである。
【図３】被写界像動き判定手段の説明ブロック図である。
【図４】被写界像動き判定手段の判定方法の説明図である。
【符号の説明】
１０１  ＣＰＵ
１０６  ＣＣＤ
１１３  表示部
【図１】
0004100905.tif 000002
【図２】
0004100905.tif 000003
【図３】
0004100905.tif 000004
【図４】
0004100905.tif 000005